【手続補正書】
【提出日】平成15年8月1日(2003.8.1)
【手続補正１】
【補正対象書類名】明細書
【補正対象項目名】発明の名称
【補正方法】変更
【補正の内容】
【発明の名称】噴出遅延機構付きのエヤゾール装置および噴出遅延機構


【手続補正２】
【補正対象書類名】明細書
【補正対象項目名】特許請求の範囲
【補正方法】変更
【補正の内容】
【特許請求の範囲】
【請求項１】
噴射しようとする内容物を充填し、ステムを備えたエヤゾール装置と、噴出経路の途中に設けられ、噴射操作から遅れて内容物を噴出させる噴出遅延機構とを備え、
前記噴出遅延機構が、
前記噴出経路を塞ぎ／連通させる部材と、
噴射操作をした後、その部材を所定時間塞ぎ状態に維持すると共に、時間が経過したときに連通状態にさせる手段
とを備えている、噴出遅延機構付きのエヤゾール装置。
【請求項２】
前記噴出経路を塞ぎ／連通させる部材が、噴出経路を塞ぐ位置と連通する位置との間で移動自在であり、
前記遮断状態を維持し、連通状態にさせる手段が、塞ぎ／連通させる部材を連通する側に付勢する手段と、連通側への移動を所定時間妨げる手段とからなる請求項１記載の噴出遅延機構付きのエヤゾール装置。
【請求項３】
前記塞ぎ／連通させる部材を付勢する手段が、ステムから噴出される内容物の圧力である請求項２記載の噴出遅延機構付きのエヤゾール装置。
【請求項４】
前記塞ぎ／連通させる部材が圧力室内に塞ぎ位置と連通位置との間で摺動自在に収容されており、その圧力室内に導入される内容物が前記付勢する手段を構成している請求項３記載の噴出遅延機構付きのエヤゾール装置。
【請求項５】
前記妨げる手段が、塞ぎ／連通させる部材の動きを緩慢にする抵抗要素である請求項２記載の噴出遅延機構付きのエヤゾール装置。
【請求項６】
噴射しようとする内容物を充填し、ステムを備えたエヤゾール装置の噴出経路の途中に設けられ、噴射操作から遅れて内容物を噴出させる噴出遅延機構であって、
内容物を導入する導入孔および噴出させる噴出孔を備えた圧力室と、
その圧力室の内面または外面と摺動して噴出孔を開閉するスライド弁と、
圧力室の内圧が高くなるとスライド弁を開く方向に付勢する開弁手段と、
スライド弁が開くときの動きを緩慢にするための抵抗要素とを備えている、
エヤゾール装置の噴出遅延機構。
【請求項７】
前記抵抗要素が、流体摩擦により抵抗力を与える流体ダンパである請求項６記載の噴出遅延機構。
【請求項８】
前記流体ダンパが、第１室と、その第１室と流路抵抗を介して連通している第２室と、第１室に充填された流体と、第１室の内部を加圧する手段とを有し、かつ、前記開弁手段と第１室を加圧する手段とが連動して作用するように構成されている請求項７記載の噴出遅延機構。
【請求項９】
前記開弁手段の動作がスライド弁に直接伝達され、前記流体ダンパの第１室を加圧する手段が、スライド弁の開弁の動作に基づいて作動する請求項８記載の噴出遅延機構。
【請求項１０】
前記開弁手段が圧力室の内部に摺動自在に収容されたピストンであり、そのピストンの側壁が前記スライド弁を構成していると共に、ピストンで仕切られるシリンダの一方の空所側に導入孔が設けられている請求項９記載の噴出遅延機構。
【請求項１１】
前記圧力室におけるピストンで仕切られる他方の空所がダンパの第１室を構成しており、そのピストンが前記第１室を加圧する手段である請求項１０記載の噴出遅延機構。
【請求項１２】
前記圧力室の他方の空所側の端面壁ないしその近辺にダンパの流路抵抗となるオリフィスが形成されており、圧力室の外部にそのオリフィスと連通する第２室が設けられている請求項１１記載の噴出遅延機構。
【請求項１３】
前記流体ダンパが開弁手段を兼ねており、圧力室の内圧の増加により流体ダンパが作動し、流体ダンパの作動によりスライド弁が開く方向にスライドする請求項７記載の噴出遅延機構。
【請求項１４】
前記圧力室が、側壁に噴出孔を備えると共に端面壁ないしその近辺に流路抵抗を備えたシリンダの内部空間であり、
そのシリンダの端面壁側の外部に、噴出孔を塞ぐ位置と開放する位置との間で摺動するように有底筒状のスライドキャップが被せられており、
そのスライドキャップの側壁が前記噴出孔を開閉するスライド弁であり、
シリンダ内部が圧力室とダンパの第１室を兼ねると共に、スライドキャップの内部が第２室を構成している、
請求項１３記載の噴出遅延機構。
【請求項１５】
ダンパの第２室を加圧する手段を備えている請求項８記載の噴出遅延機構。
【請求項１６】
ダンパの第２室が容積可変の密閉構造を有し、かつ、その第２室の容積を少なくするように付勢することにより第２室を加圧する付勢手段を備えている請求項１５記載の噴出遅延機構。
【請求項１７】
前記付勢手段が外部から第２室の容積を減らす方向に操作できるように構成されている請求項１６記載の噴出遅延機構。
【請求項１８】
前記圧力室が、側壁に噴出孔を備えると共に端面壁ないしその近辺に流路抵抗を備えたシリンダの内部空間であり、
そのシリンダの端面壁側の外部に、摺動自在に有底筒状のスライドキャップが被せられており、
そのスライドキャップの内部が前記ダンパの第２室を構成している請求項１６記載の噴出遅延機構。
【請求項１９】
前記付勢手段が常時第２室の容積を減らす方向に弾力的に付勢するバネである請求項１５記載の噴出遅延機構。
【請求項２０】
ダンパの第２室が密閉構造を有し、その内部に密封した圧縮性流体が前記加圧手段を構成している請求項１５記載の噴出遅延機構。
【請求項２１】
前記抵抗要素が開弁手段による付勢力よりも小さい力で弾力的にスライド弁を閉方向に付勢するバネ手段である請求項６記載の噴出遅延機構。
【手続補正３】
【補正対象書類名】明細書
【補正対象項目名】０００１
【補正方法】変更
【補正の内容】
【０００１】
【発明の属する技術分野】
本発明は噴出遅延機構付きのエヤゾール装置およびそれに用いる噴出遅延機構に関する。さらに詳しくは、エヤゾール装置の噴出操作をした直後は内容物を噴出させず、所定時間経過後に噴出を開始させる噴出遅延機構付きのエヤゾール装置およびそれに用いる噴出遅延機構に関する。このような噴出遅延機構は、エヤゾール装置により家屋や車室内を殺菌・消毒したり、害虫駆除剤で薫蒸したり、帯電防止剤を噴霧する場合に、使用者が室内から待避した後に噴出を開始させるために用いる。


【手続補正４】
【補正対象書類名】明細書
【補正対象項目名】０００３
【補正方法】変更
【補正の内容】
【０００３】
【発明が解決しようとする課題】
前記従来の遅延噴射装置は、可動部分がなく、構成がシンプルである半面、流出孔から高粘度液体を流出させるので、居室内や車内に高粘度液体が散布されてしまうという問題がある。また、流出孔から流出した高粘度液体を収容する収容室を設ける場合でも、その一部が被噴射物と共に噴出する場合がある。さらにいずれの場合でも、同じ流出孔から高粘度液体と被噴射物を流出させるので、被噴射物の噴射状態と、高粘度流体の通過時間、すなわち遅延時間とを別個に設定することが難しい。本発明は、このような問題を解消し、高粘度液体などを流出させることがない噴出遅延機構付きのエヤゾール装置を提供することを第１の技術課題としている。さらに本発明は、噴出形態と噴出時間とを互いに依存しないように設定しうる、エヤゾール装置の遅延噴射機構を提供することを第２の技術課題としている。


【手続補正５】
【補正対象書類名】明細書
【補正対象項目名】０００４
【補正方法】変更
【補正の内容】
【０００４】
また前記従来の遅延噴射装置は、最初にエヤゾール装置を開弁したときは有効に働くが、途中で一旦噴出を停止し、再度噴出させる場合は、もはや密閉状容器内に粘性流体が残っていないため、遅延作用を奏しない。本発明は、途中で噴出を停止した後、簡単な操作で元の状態に復帰させることができ、それにより噴出を再開する場合でも遅延作用を奏しうる噴出遅延機構を提供することを第３の技術課題としている。


【手続補正６】
【補正対象書類名】明細書
【補正対象項目名】０００５
【補正方法】変更
【補正の内容】
【０００５】
【課題を解決するための手段】
［噴出遅延機構付きのエヤゾール装置］
本発明の噴出遅延機構付きのエヤゾール装置は、噴射しようとする内容物を充填し、ステムを備えたエヤゾール装置と、噴出経路の途中に設けられ、噴射操作から遅れて内容物を噴出させる噴出遅延機構とを備え、前記噴出遅延機構が、前記噴出経路を塞ぎ／連通させる部材と、噴射操作をした後、その部材を所定時間遮断状態に維持すると共に、時間が経過したときに連通状態にさせる手段とを備えていることを特徴としている。
このような噴出遅延機構付きのエヤゾール装置においては、前記噴出経路を塞ぎ／連通させる部材が、噴出経路を塞ぐ位置と連通する位置との間で移動自在であり、前記遮断状態を維持し、連通状態にさせる手段が、遮断／連通させる部材を連通する側に付勢する手段と、連通側への移動を所定時間妨げる手段とからなるものが好ましい。
また、前記塞ぎ／連通させる部材を付勢する手段が、ステムから噴出される内容物の圧力であるものが好ましい。
さらに前記塞ぎ／連通させる部材が圧力室内に塞ぎ位置と連通位置との間で摺動自在に収容されており、その圧力室内に導入される内容物が前記付勢する手段を構成しているものが好ましい。
さらに前記妨げる手段が、塞ぎ／連通させる部材の動きを緩慢にする抵抗要素であるものが好ましい。
［噴出遅延機構の基本構成］  本発明の噴出遅延機構は、噴射しようとするエヤゾール装置の内容物を導入する導入孔および噴出させる噴出孔を備えた圧力室と、その圧力室の内面または外面と摺動して噴出孔を開閉するスライド弁と、圧力室の内圧が高くなるとスライド弁を開く方向に付勢する開弁手段と、スライド弁が開くときの動きを緩慢にするための抵抗要素とを備えていることを特徴としている。


【手続補正７】
【補正対象書類名】明細書
【補正対象項目名】０００６
【補正方法】変更
【補正の内容】
【０００６】
［抵抗要素がダンパであるもの］  前記抵抗要素は、流体摩擦により抵抗力を与える流体ダンパとするのが好ましい。そのような流体ダンパは、第１室と、その第１室と流路抵抗を介して連通している第２室と、第１室に充填された流体と、第１室の内部を加圧する手段とから構成することができ、その場合は前記開弁手段と第１室を加圧する手段とが連動して作用するように構成する。


【手続補正８】
【補正対象書類名】明細書
【補正対象項目名】００１２
【補正方法】変更
【補正の内容】
【００１２】
［抵抗要素がバネ手段であるもの］  本発明の基本的な構成における抵抗要素としては、前述の流体ダンパのほか、たとえば開弁手段による開き方向の付勢力よりも小さい力で弾力的にスライド弁を閉方向に付勢するバネ手段によっても実現することができる。バネ手段には圧縮ガスも含まれる。
【手続補正９】
【補正対象書類名】明細書
【補正対象項目名】００１３
【補正方法】変更
【補正の内容】
【００１３】
【作用】
［噴出遅延機構付きのエヤゾール装置］
［基本構成］ 本発明の噴出遅延機構付きのエヤゾール装置は、噴出経路を高粘度液体ではなく、噴出経路を塞ぎ／連通させる部材で塞ぐため、高粘度液体が外部に噴出することがない。
前記噴出経路を塞ぎ／連通させる部材が、噴出経路を塞ぐ位置と連通する位置との間で移動自在であり、前記遮断状態を維持し、連通状態にさせる手段が、塞ぎ／連通させる部材を連通する側に付勢する手段と、連通側への移動を所定時間妨げる手段とから構成される場合は、噴出操作の最初は塞ぎ／連通させる部材が塞ぐ位置にあり、内容物をまだ噴出させない。そして付勢する手段により、塞ぎ／連通させる手段が連通側に付勢されるが、妨げる手段があるため、ただちには連通位置に移動せず、ゆっくりと連通位置側に移動する。そして連通位置に来たときに初めて内容物が外部に噴出する。
前記塞ぎ／連通させる部材を付勢する手段が、ステムから噴出される内容物の圧力である場合は、エアゾール装置のステムを押した状態にするだけで、ステムから噴出する内容物が塞ぎ／連通する部材を連通側に付勢し、連通位置に来たときにステムから外部に噴出する。そのため、別個の付勢する手段を設ける必要がない。
前記塞ぎ／連通させる部材が圧力室内に塞ぎ位置と連通位置との間で摺動自在に収容されており、その圧力室内に導入される内容物が前記付勢する手段を構成している場合は、内容物が圧力室に入ることにより、塞ぎ／連通する部材が妨げる手段に抗して次第に連通側に移動する。そして連通位置に来たときに、内容物が圧力室から外部に噴出する。
前記妨げる手段が、塞ぎ／連通させる部材の動きを緩慢にする抵抗要素である場合は、噴出経路が塞がっている状態から連通するまでに長時間を要するので、噴出遅延機能が高い。
［噴出遅延機構］  本発明の噴出遅延機構の基本的な構成においては、エヤゾール装置を開弁すると導入孔を通じて圧力室に内容物が入ってくる。そのときスライド弁が噴出孔を閉じているので、内容物は直ちには噴出孔から噴出せず、圧力室に充満する。圧力室の内圧が上昇すると、開弁手段によりスライド弁が開こうとするが、抵抗要素の抵抗でその動きが緩慢になる。そしてスライド弁が所定の距離だけ開き方向に移動した後、初めて噴出孔が開く。このように本発明の噴出遅延機構では、エヤゾール装置を開弁させてスライド弁が動作を始めてから最終的に噴出孔が開くまでに一定の時間が経過する。したがって遅延噴出作用が達成される。


【手続補正１０】
【補正対象書類名】明細書
【補正対象項目名】００１６
【補正方法】変更
【補正の内容】
【００１６】
流体ダンパを流路抵抗を介して連通させた第１室と第２室とから構成した装置では、開弁手段がスライド弁を作動させるときにダンパの第１室が加圧され、第１室の流体が流路抵抗を通って第２室に移動する。この装置では、流体の容量が大きく、流路抵抗を大きくすることができ、それにより遅延時間を長くすることができる。


【手続補正１１】
【補正対象書類名】明細書
【補正対象項目名】００１９
【補正方法】変更
【補正の内容】
【００１９】
流体ダンパに開弁手段を兼ねさせた装置では、圧力室の内圧が上昇することによりまず流体ダンパの第１室が加圧され、それにより第１室内の流体が流路抵抗を通って第２室に移動し、その移動に伴ってスライド弁が開き方向に移動する。したがってスライド弁の動きは流体の移動速度によって規制され、緩慢な動きとなる。前述のスライドキャップで第２室とスライド弁とを兼ねさせた装置では、圧力室の内圧が上昇すると流体が流路抵抗を通ってスライドキャップの内部に入り、スライドキャップをゆっくりと移動させ、最終的に噴出孔を開く。


【手続補正１２】
【補正対象書類名】明細書
【補正対象項目名】００２０
【補正方法】変更
【補正の内容】
【００２０】
［可逆操作が可能な装置］  ダンパの第２室を加圧する手段を備えた装置では、エヤゾール装置を閉弁して加圧状態の内容物が圧力室に流入するのを停止し、ついでダンパの第２室を加圧することにより第２室内の流体を第１室に戻すと共に、スライド弁で噴出孔を再び塞ぐことにより、元の状態に戻る。それにより再度エヤゾール装置を開弁するときに遅延作用を奏させることができる。第２室を容積可変の密閉構造とし、第２室の容積を減少させる付勢手段を設けたものでは、その付勢手段により第２室の容積を減少させることにより、第２室内を加圧することができる。


【手続補正１３】
【補正対象書類名】明細書
【補正対象項目名】００２５
【補正方法】変更
【補正の内容】
【００２５】
シリンダ１の内部のうち、ピストン２の上部側の空所Ｓ１が請求項３にいう流体ダンパの第１室であり、スライドキャップ３とシリンダ１の端面壁６とで構成される空所Ｓ２が第２室である。そしてシリンダ１の上部、端面壁６およびスライドキャップ３が流体ダンパであり、端面壁６に形成した連通孔９が流路抵抗である。この実施形態では、流体４が入る第１室Ｓ１と圧力室Ｐとがピストン２で隔離されている。そのため液体４が外部に流出するおそれがほとんどない。


【手続補正１４】
【補正対象書類名】明細書
【補正対象項目名】００３０
【補正方法】変更
【補正の内容】
【００３０】
圧力室Ｐ内の圧力が増加すると、ピストン２が上方に付勢される。そしてピストン２は第１室Ｓ１内の液体４を加圧し、液体４を排除しながら上昇する。それにより液体４は連通孔９を通って第２室Ｓ２に移動する。そのとき、流体摩擦抵抗の大きさと、第１室Ｓ１と第２室Ｓ２の圧力差とが釣り合い、流体摩擦抵抗は液体の粘性係数ないし粘度と速度勾配などによって定まる。そして液体４はそれらによって定まる所定の流速で液体４が連通孔９を通過するから、ピストン２の移動速度が規制され、緩慢な動きになる。


【手続補正１５】
【補正対象書類名】明細書
【補正対象項目名】００４６
【補正方法】変更
【補正の内容】
【００４６】
【発明の効果】
本発明の噴出遅延機構付きのエヤゾール装置は、噴出孔を高粘度の液体で塞がず、スライド弁などの塞ぎ／連通させる部材で開閉するようにしている。そのため液体が外部に散布される問題がない。本発明の噴出遅延機構は、噴出孔には充填した高粘度の液体が通らず、噴出させる内容物だけが通る。そのため噴出孔は内容物の噴出形態に応じた適切な形態を選択することができ、他方、遅延時間は抵抗要素により任意に設定することができる。


【手続補正１６】
【補正対象書類名】明細書
【補正対象項目名】００４７
【補正方法】変更
【補正の内容】
【００４７】
抵抗要素として特定のダンパを採用し、そのダンパの第２室を加圧する手段を備えた装置では、ダンパの第２室を加圧することにより第２室内の流体を第１室に戻すことができる。そのため、スライド弁で噴出孔を再び塞ぐと共に第２室を加圧すれば、噴出遅延機構が元の状態に戻る。それにより一旦停止したエヤゾール装置を再度開弁するときにも遅延作用を奏させることができる。


【手続補正１７】
【補正対象書類名】明細書
【補正対象項目名】図面の簡単な説明
【補正方法】変更
【補正の内容】
【図面の簡単な説明】
【図１】図１ａおよび図１ｂは、それぞれ本発明の噴出遅延機構の一実施形態における閉状態および開状態を示す断面図である。
【図２】本発明の噴出遅延機構付きのエヤゾール装置の一実施形態を示す要部断面図である。
【図３】本発明に関わる開弁状態保持機構を備えた噴出遅延機構付きのエヤゾール装置の他の実施形態を示す要部断面図である。
【図４】本発明の噴出遅延機構の他の実施形態を示す断面図である。
【図５】図５ａおよび図５ｂは、本発明の噴出遅延機構の他の実施形態を、それぞれ閉状態および開状態において示す断面図である。
【図６】図６ａおよび図６ｂは、本発明の噴出遅延機構の他の実施形態を、それぞれ閉状態および開状態において示す断面図である。
【図７】本発明の噴出遅延機構の他の実施形態を示す断面図である。
【図８】本発明の噴出遅延機構の他の実施形態を示す断面図である。
【図９】本発明の噴出遅延機構の他の実施形態を示す断面図である。
【符号の説明】
Ａ  噴出遅延機構
１  シリンダ
２  ピストン
３  スライドキャップ
４  液体
５  導入口
６  端面壁
７  側壁
８  噴出孔
９  連通孔
Ｐ  圧力室
Ｓ１  第１室
Ｓ２  第２室
Ｔ  エヤゾール装置
Ｔ２  エヤゾール装置